(57)【要約】【課題】強度が大きく、施工性が良好な壁パネル、連結壁パネルおよび建物構造を提供する。【解決手段】壁パネル１０は２本の縦材１１と２本の横材１２と板材１３と貫材１４と２本の柱材１５とを有する。各縦材１１は互いに平行に配置され、互いの対向面の対向する位置に貫通穴１１ａを有する。各横材１２は各縦材１１とともに枠を構成するよう各縦材１１の両端に固定される。板材１３は枠の開口１７を塞ぎ、両側の縁部を各縦材１１より幅方向に突出させて枠に固定される。貫材１４は貫通穴１１ａに挿入されて両端が貫通穴１１ａから突出している。各柱材１５は貫材１４の両端にそれぞれ嵌合するホゾ穴１５ａと、板材１３の両側の縁部にそれぞれ嵌合する溝とを有して、各縦材１１に固定されている。【選択図】図１
2015190162.tif 000002
【特許請求の範囲】
【請求項１】
２本の縦材と２本の横材と板材と貫材と２本の柱材とを有し、
各縦材は互いに平行に配置され、互いの対向面の対向する位置に貫通穴を有し、
各横材は各縦材とともに枠を構成するよう各縦材の両端に固定され、
前記板材は前記枠の開口を塞ぎ、両側の縁部を各縦材より幅方向に突出させて前記枠に固定され、
前記貫材は前記貫通穴に挿入されて両端が前記貫通穴から突出しており、
各柱材は前記貫材の両端にそれぞれ嵌合するホゾ穴と、前記板材の前記両側の縁部にそれぞれ嵌合する溝とを有して、各縦材に固定されていることを、
特徴とする壁パネル。
【請求項２】
各縦材および各柱材は同一直線上にそれぞれボルト穴を有し、各ボルト穴を貫通するボルトにより結合されていることを、特徴とする請求項１記載の壁パネル。
【請求項３】
前記ホゾ穴と前記貫材との間に弾性体が設けられていることを、特徴とする請求項１または２記載の壁パネル。
【請求項４】
通気板を有し、前記通気板は通気穴を有して下側の前記横材の上側で各縦材に固定されていることを、特徴とする請求項１、２または３記載の壁パネル。
【請求項５】
請求項１，２，３または４記載の壁パネルと２本の第２縦材と２本の第２横材と第２板材と第２貫材と第２柱材とを有し、
各第２縦材は互いに平行に配置され、互いの対向面の対向する位置に貫通穴を有し、
各第２横材は各第２縦材とともに第２枠を構成するよう各第２縦材の両端に固定され、
前記第２板材は前記第２枠の開口を塞ぎ、両側の縁部を各第２縦材より幅方向に突出させて前記第２枠に固定され、
前記第２貫材は各第２縦材の前記貫通穴に挿入されて一端が前記貫通穴から突出しており、
前記第２柱材は前記第２板材の一方側の縁部に嵌合する溝を有して、一方の前記第２縦材に固定され、
前記壁パネルの少なくとも一方の前記柱材は前記第２貫材の一端に嵌合するホゾ穴と、前記第２板材の他方側の縁部に嵌合する溝とを有して、他方の前記第２縦材に固定されていることを、
特徴とする連結壁パネル。
【請求項６】
請求項１，２，３または４記載の壁パネルと２本の第２縦材と２本の第２横材と第２板材と第２貫材と第２柱材とを有し、
各第２縦材は互いに平行に配置され、互いの対向面の対向する位置に貫通穴を有し、
各第２横材は各第２縦材とともに第２枠を構成するよう各第２縦材の両端に固定され、
前記第２板材は前記第２枠の開口を塞ぎ、両側の縁部を各第２縦材より幅方向に突出させて前記第２枠に固定され、
前記第２貫材は各第２縦材の前記貫通穴に挿入されて両端が前記貫通穴から突出しており、
前記第２柱材は前記第２貫材の一端に嵌合するホゾ穴と、前記第２板材の一方側の縁部に嵌合する溝とを有して、一方の前記第２縦材に固定され、
前記壁パネルの少なくとも一方の前記柱材は前記第２貫材の他端に嵌合するホゾ穴と、前記第２板材の他方側の縁部に嵌合する溝とを有して、他方の前記第２縦材に固定されていることを、
特徴とする連結壁パネル。
【請求項７】
各第２縦材、各第２柱材、前記壁パネルの各縦材および各柱材は同一平面上に設けられ、同一直線上にそれぞれボルト穴を有し、各ボルト穴を貫通するボルトにより結合されていることを、特徴とする請求項５または６記載の連結壁パネル。
【請求項８】
前記第２枠は前記壁パネルに対して直角に設けられていることを、特徴とする請求項５または６記載の連結壁パネル。
【請求項９】
請求項１、２、３または４記載の壁パネルと土台とを有し、各柱材は下端に固定用穴を有し、前記土台は上部に突出する固定金具を有し、各柱材は前記固定用穴に前記固定金具が挿入されて前記土台に固定されていることを、特徴とする建物構造。
【請求項１０】
請求項４記載の壁パネルと床板と床材とを有し、前記床板は縁部に通気用凹部を有して前記通気用凹部が前記通気板の通気穴に連通するよう設けられ、前記床材は前記床板および前記通気用凹部の上側に設けられ、前記壁パネルは前記通気用凹部および前記通気穴に連通する通風路を内部に有することを、特徴とする建物構造。
【発明の詳細な説明】
【技術分野】
【０００１】
本発明は、壁パネル、連結壁パネルおよび建物構造に関する。
【背景技術】
【０００２】
従来の壁パネルおよび建物構造として、２本の平行な枠材の両端のほぞを他の２本の平行な枠材の２対のほぞ穴に嵌合して枠組みが構成され、その２本の枠材に設けられたパネル材保持溝に枠組みの開口を塞ぐようパネル材が嵌合されたものが、本発明者により開発されている（例えば、特許文献１参照）。
【先行技術文献】
【特許文献】
【０００３】
【特許文献１】特許第３２１８３０９号公報
【発明の概要】
【発明が解決しようとする課題】
【０００４】
特許文献１に記載の木造建築物は気密性、防振性および免震性に優れているが、さらに強度が大きく、施工性が良好な壁パネルおよび建物構造が望まれている。
【０００５】
本発明は、このような課題に着目してなされたもので、強度が大きく、施工性が良好な壁パネル、連結壁パネルおよび建物構造を提供することを目的とする。
【課題を解決するための手段】
【０００６】
上記目的を達成するために、本発明に係る壁パネルは、２本の縦材と２本の横材と板材と貫材と２本の柱材とを有し、各縦材は互いに平行に配置され、互いの対向面の対向する位置に貫通穴を有し、各横材は各縦材とともに枠を構成するよう各縦材の両端に固定され、前記板材は前記枠の開口を塞ぎ、両側の縁部を各縦材より幅方向に突出させて前記枠に固定され、前記貫材は前記貫通穴に挿入されて両端が前記貫通穴から突出しており、各柱材は前記貫材の両端にそれぞれ嵌合するホゾ穴と、前記板材の前記両側の縁部にそれぞれ嵌合する溝とを有して、各縦材に固定されていることを、特徴とする。
【０００７】
本発明に係る壁パネルは、板材が両側の縁部で柱材の溝に嵌合しており、強度が高められている。さらに、貫材が縦材の貫通穴に挿入されて両端に柱材のホゾ穴が嵌合しているため、強度がより高められている。特に、貫材により、柱材のねじれを防止することができる。本発明に係る壁パネルは、工場で生産し、現場に運搬しておけば、柱材を土台に固定することで各柱材の間に同時に壁を設けることができるため、施工が容易である。
【０００８】
本発明に係る壁パネルにおいて、各縦材および各柱材は同一直線上にそれぞれボルト穴を有し、各ボルト穴を貫通するボルトにより結合されていてもよい。
この場合、各縦材はボルトで各柱材に結合されるので、ビス止めで結合されるのに比べて生産が容易となる。
【０００９】
本発明に係る壁パネルは、前記ホゾ穴と前記貫材との間に弾性体が設けられていることが好ましい。
この場合、弾性体により地震の振動を吸収することができるので、免震性、吸震性を高めることができる。
【００１０】
本発明に係る壁パネルは、通気板を有し、前記通気板は通気穴を有して下側の前記横材の上側で各縦材に固定されていることが好ましい。
この場合、通気穴を通して内部に通風路を形成し、湿気を抑えることができる。
【００１１】
本発明に係る第１の連結壁パネルは、前述の壁パネルと２本の第２縦材と２本の第２横材と第２板材と第２貫材と第２柱材とを有し、各第２縦材は互いに平行に配置され、互いの対向面の対向する位置に貫通穴を有し、各第２横材は各第２縦材とともに第２枠を構成するよう各第２縦材の両端に固定され、前記第２板材は前記第２枠の開口を塞ぎ、両側の縁部を各第２縦材より幅方向に突出させて前記第２枠に固定され、前記第２貫材は各第２縦材の前記貫通穴に挿入されて一端が前記貫通穴から突出しており、前記第２柱材は前記第２板材の一方側の縁部に嵌合する溝を有して、一方の前記第２縦材に固定され、前記壁パネルの少なくとも一方の前記柱材は前記第２貫材の他端に嵌合するホゾ穴と、前記第２板材の他方側の縁部に嵌合する溝とを有して、他方の前記第２縦材に固定されていることを、特徴とする。
【００１２】
本発明に係る第２の連結壁パネルは、前述の壁パネルと２本の第２縦材と２本の第２横材と第２板材と第２貫材と第２柱材とを有し、各第２縦材は互いに平行に配置され、互いの対向面の対向する位置に貫通穴を有し、各第２横材は各第２縦材とともに第２枠を構成するよう各第２縦材の両端に固定され、前記第２板材は前記第２枠の開口を塞ぎ、両側の縁部を各第２縦材より幅方向に突出させて前記第２枠に固定され、前記第２貫材は各第２縦材の前記貫通穴に挿入されて両端が前記貫通穴から突出しており、前記第２柱材は前記第２貫材の一端に嵌合するホゾ穴と、前記第２板材の一方側の縁部に嵌合する溝とを有して、一方の前記第２縦材に固定され、前記壁パネルの少なくとも一方の前記柱材は前記第２貫材の一端に嵌合するホゾ穴と、前記第２板材の他方側の縁部に嵌合する溝とを有して、他方の前記第２縦材に固定されていることを、特徴とする。
【００１３】
本発明に係る第１および第２の連結壁パネルは、工場で生産し、現場に運搬しておけば、３本の柱材を土台に固定することで各柱材の間に同時に壁を設けることができるため、施工が容易である。本発明に係る第１の連結壁パネルでは、第２柱材の溝に対して第２板材の一方側の縁部をスライドさせて嵌合させることができるため、施工が容易である。本発明に係る第２の連結壁パネルでは、第２柱材が第２貫材の一端に嵌合するホゾ穴を有するため、強度がより高められる。
【００１４】
本発明に係る第１および第２の連結壁パネルにおいて、各第２縦材、各第２柱材、前記壁パネルの各縦材および各柱材は同一平面上に設けられ、同一直線上にそれぞれボルト穴を有し、各ボルト穴を貫通するボルトにより結合されていてもよい。
この場合、各縦材はボルトで各柱材に結合されるので、ビス止めで結合されるのに比べて生産が容易となる。
【００１５】
本発明に係る第１および第２の連結壁パネルにおいて、前記第２枠は前記壁パネルに対して直角に設けられていてもよい。
この場合、建物のコーナーの施工が容易となる。
【００１６】
本発明に係る建物構造は、前述の壁パネルと土台とを有し、各柱材は下端に固定用穴を有し、前記土台は上部に突出する固定金具を有し、各柱材は前記固定用穴に前記固定金具が挿入されて前記土台に固定されていることを、特徴とする。
本発明に係る建物構造は、柱材を固定金具により土台に固定することで容易に施工することができる。
【００１７】
本発明に係る建物構造は、通気板を有し、前記通気板は通気穴を有して下側の前記横材の上側で各縦材に固定されている壁パネルと床板と床材とを有し、前記床板は縁部に通気用凹部を有して前記通気用凹部が前記通気板の通気穴に連通するよう設けられ、前記床材は前記床板および前記通気用凹部の上側に設けられ、前記壁パネルは前記通気用凹部および前記通気穴に連通する通風路を内部に有してもよい。
この場合、床板の上に床材が設けられていても、床下の空気は床下から床板の通気用凹部および通気板の通気穴を通り、壁パネルの通風路に流れるので、床下の湿気を抑えることができる。
【発明の効果】
【００１８】
本発明によれば、強度が大きく、施工性が良好な壁パネル、連結壁パネルおよび建物構造を提供することができる。
【図面の簡単な説明】
【００１９】
【図１】本発明の実施の形態の壁パネルを示す正面図である。
【図２】本発明の実施の形態の連結壁パネルおよび建物構造を示す要部正面図である。
【図３】図２に示す建物構造のＡ−Ａ断面図である。
【図４】図２に示す建物構造のＢ−Ｂ断面図である。
【図５】図２に示す連結壁パネルの施工段階の正面図である。
【図６】本発明の実施の形態の建物構造を示す要部斜視図である。
【図７】図２に示す建物構造のＣ−Ｃ断面図である。
【図８】本発明の他の実施の形態の連結壁パネルを示す平面図である。
【発明を実施するための形態】
【００２０】
以下、図面に基づき、本発明の実施の形態について説明する。
図１乃至図８は、本発明の実施の形態の壁パネル、連結壁パネルおよび建物構造を示している。
図１および図２に示すように、壁パネル１０は、２本の縦材１１と２本の横材１２と板材１３と貫材１４と２本の柱材１５と通気板１６とを有している。各縦材１１は互いに平行に配置され、互いの対向面の対向する位置に貫通穴１１ａを有している。各横材１２は各縦材１１とともに枠を構成するよう各縦材１１の両端に固定されている。
【００２１】
板材１３は枠の開口１７を塞ぎ、両側の縁部１３ａを各縦材１１より幅方向に突出させて枠に固定されている。貫材１４は貫通穴１１ａに挿入されて両端が貫通穴１１ａから突出している。各柱材１５は、断面長方形をなし、互いに反対面となる２つの側面にホゾ穴１５ａと溝１５ｂとを有している。ホゾ穴１５ａは、貫材１４の両端にそれぞれ嵌合している。図３および図４に示すように、溝１５ｂは、各柱材１５の両端に抜けるよう伸びており、板材１３の両側の縁部１３ａにそれぞれ嵌合している。各縦材１１は、ビス釘により各柱材１５に固定されているが、ビス釘による固定を省略してもよい。各縦材１１には、貫材１４と交互の位置に複数の胴縁１８が固定されている。通気板１６は２つの通気穴１６ａを有して下側の横材１２の上側で各縦材１１に固定されている。また、２本の縦材１３の間に、中央縦材１９が設けられている。中央縦材１９は、貫材１４が貫通する貫通穴を有し、両端が２本の横材１２に固定されている。
【００２２】
図２に示すように、連結壁パネル２０は、壁パネル１０と２本の第２縦材２１と２本の第２横材２２と第２板材２３と第２貫材２４と第２柱材２５と通気板２６とを有している。各第２縦材２１は互いに平行に配置され、互いの対向面の対向する位置に貫通穴を有している。各第２横材２２は各第２縦材２１とともに第２枠を構成するよう各第２縦材２１の両端に固定されている。図５に示すように、第２板材２３は第２枠の開口２７を塞ぎ、両側の縁部２３ａを各第２縦材２１より幅方向に突出させて第２枠に固定されている。第２貫材２４は、各第２縦材２１の貫通穴に挿入され、一端のみが貫通穴から突出している。
【００２３】
第２柱材２５は断面長方形をなし、１つの側面に溝２５ｂを有している。図３および図４に示すように、溝２５ｂは、第２柱材２５の両端に抜けるよう伸びており、第２板材２３の一方側の縁部２３ａに嵌合している。一方の第２縦材２１は、ビス釘により第２柱材２５に固定されているが、ビス釘による固定を省略してもよい。
壁パネル１０の柱材１５の他方の柱材１５と反対側の側面のホゾ穴１５ａは、第２貫材２４の一端に嵌合している。同じ側面の溝１５ｂは、第２板材２３の他方側の縁部２３ａに嵌合している。他方の第２縦材２１は、ビス釘により柱材２５に固定されている。
【００２４】
各第２縦材２１には、第２貫材２４と交互の位置に複数の胴縁２８が固定されている。通気板２６は２つの通気穴２６ａを有して下側の第２横材２２の上側で各第２縦材２１に固定されている。連結壁パネル２０の胴縁２８には、石膏ボードなどから成る内壁材が固定されている。また、２本の第２縦材２１の間に、中央縦材２９が設けられている。中央縦材２９は、第２貫材２４が貫通する貫通穴を有し、両端が２本の第２横材２２に固定されている。
各第２縦材２１、第２柱材２５、壁パネル１０の各縦材１１および各柱材１５は、同一平面上に設けられ、平面の壁を構成するようになっている。
【００２５】
建物構造は、連結壁パネル２０と土台３１と梁３２と床板３３と床材３４とを有している。連結壁パネル２０の各柱材１５，２５は、下端に固定用穴を有している。土台３１は、上部に突出する固定金具３１ａを有している。各柱材１５は、土台３１の上から差し込むようにして固定用穴に固定金具３１ａが挿入され、側部から固定金具３１ａにピン止めされて土台３１に固定されている。各柱材１５は、上端に突出する固定金具３１ａを有している。梁３２は、下部に固定用穴を有している。梁３２は、固定用穴に固定金具３１ａが挿入されて各柱材１５，２５に固定されている。
【００２６】
図６および図７に示すように、床板３３は、縁部に通気用凹部３３ａを有して通気用凹部３３ａが通気板１６の通気穴１６ａに連通するよう設けられている。床材３４は床板３３および通気用凹部３３ａの上側に設けられている。壁パネル１０は、通気用凹部３３ａおよび通気穴１６ａに連通する通風路１０ａを内部に有している。天井板３５が連結壁パネル２０の上部の胴縁１８，２８に固定されている。通風路１０ａは、上部で小屋裏３６に連通している。連結壁パネル２０の各柱材１５，２５の間には、板材１３および第２板材２３の室外側の面全体を覆うように断熱ボード３７が設けられている。
【００２７】
以上のとおり、壁パネル１０は、板材１３が両側の縁部１３ａで柱材１５の溝１５ｂに嵌合しており、強度が高められている。さらに、貫材１４が縦材１１の貫通穴１１ａに挿入されて両端に柱材１５のホゾ穴１５ａが嵌合しているため、強度がより高められている。特に、貫材１４により、柱材１５のねじれを防止することができる。
壁パネル１０は、工場で生産し、現場に運搬しておけば、柱材１５を土台３１に固定することで各柱材１５の間に同時に壁を設けることができるため、施工が容易である。
【００２８】
連結壁パネル２０もまた、工場で生産し、現場に運搬しておけば、３本の柱材１５，２５を土台３１に固定することで各柱材１５，２５の間に同時に壁を設けることができるため、施工が容易である。また、連結壁パネル２０は、第２柱材２５の溝２５ｂに対して第２板材２３の一方側の縁部２３ａをスライドさせて嵌合させることができるため、施工が容易である。
【００２９】
建物構造は、柱材１５，２５を固定金具３１ａにより土台３１に固定することで容易に施工することができる。建物構造は、床板３３の上に床材３４が設けられていても、通気用凹部３３ａで床板３３の厚み分の流路が形成され、空気が流通する。床下３８の空気は床下３８から床板３３の通気用凹部３３ａおよび通気板１６，２６の通気穴１６ａ，２６ａを通り、壁パネル１０の通風路１０ａに流れ、小屋裏３６に抜けるので、床下３８の湿気を抑えるとともに小屋裏３６を換気することができる。
【００３０】
なお、第２貫材２４は両端が第２柱材２５の貫通穴から突出していてもよい。この場合、第２柱材２５は１つの側面にホゾ穴と溝とを有し、ホゾ穴は第２貫材２４の一端に嵌合している。この構成によれば、第２柱材２５が第２貫材２４の一端に嵌合するホゾ穴を有するため、強度がより高められる。
【００３１】
また、図２に示すように、各第２縦材２１、各第２柱材２５、壁パネル１０の各縦材１１および各柱材１５は、同一直線上にそれぞれボルト穴を有し、各ボルト穴を貫通するボルト３９により結合されていてもよい。ボルト３９は、端部でナット３９ａにより締め付けられる。ボルト３９は、１枚の壁パネル１０または連結壁パネル２０に対し、複数本、例えば２本または３本設けられていることが好ましい。この場合、各縦材１１，２１はボルト３９で各柱材１５，２５に結合されるので、ビス止めの必要がなく、ビス止めで結合されるのに比べて生産が容易となる。
【００３２】
また、図８に示すように、連結壁パネル２０において、第２枠は壁パネル１０に対して直角に設けられていてもよい。この場合、建物のコーナーの施工が容易となる。
柱材１５，２５のホゾ穴と貫材１４，２４との間には、シリコン樹脂などの弾性体が注入されて設けられていてもよい。この場合、弾性体により地震の振動を吸収することができるので、免震性、吸震性を高めることができる。貫材１４，２４には、鉄その他の金属製の環状部材が固定されて、強度が高められていてもよい。
【００３３】
また、建物周囲の構造を壁パネル１０または連結壁パネル２０により構成するとともに、階段周りの４本の柱材と各柱材の間の壁面を壁パネル１０または連結壁パネル２０により構成してもよい。この場合、建物周囲と階段周りの壁パネル１０または連結壁パネル２０の各柱材１５，２５のみが梁３２に固定されて、建物の自重を支え、地震や風圧などに耐えるようにすることができる。
【符号の説明】
【００３４】
１０  壁パネル
１１  縦材
１２  横材
１３  板材
１４  貫材
１５  柱材
１６  通気板
２０  連結壁パネル
２１  第２縦材
２２  第２横材
２３  第２板材
２４  第２貫材
２５  第２柱材
２６  通気板
３１  土台
３２  梁
３３  床板
３４  床材
３５  天井板
３６  小屋裏
３７  断熱ボード
３８  床下
【図１】
2015190162.tif 000003
【図２】
2015190162.tif 000004
【図３】
2015190162.tif 000005
【図４】
2015190162.tif 000006
【図５】
2015190162.tif 000007
【図６】
2015190162.tif 000008
【図７】
2015190162.tif 000009
【図８】
2015190162.tif 000010